(57)【特許請求の範囲】
【請求項１】
制御ダイヤをバージョン情報とともに記憶する自動進路制御装置と、
前記制御ダイヤを修正する複数のダイヤ修正手段と、を備え、
前記自動進路制御装置は、前記バージョン情報を前記複数のダイヤ修正手段に定期的に送信し、前記複数のダイヤ修正手段を構成する各ダイヤ修正手段は、記憶しているバージョン情報と前記自動進路制御装置からのバージョン情報とが不一致である場合前記自動進路制御装置に新たな制御ダイヤを要求する、列車の運行管理システム。
【請求項２】
前記複数のダイヤ修正手段を構成する各ダイヤ修正手段は、前記制御ダイヤを修正したときに、前記自動進路制御装置に修正したダイヤとバージョン情報とを送信し、
前記自動進路制御装置は、現在記憶しているバージョン情報と前記修正したダイヤを送信したダイヤ修正手段からのバージョン情報とを比較し、両バージョン情報が一致している場合にのみ前記修正したダイヤを受け付けるとともに、バージョンを「＋１」にすることを特徴とする請求項１に記載の列車の運行管理システム。
【請求項３】
前記複数のダイヤ修正手段は、列車の発車時間の修正を含むダイヤの修正をするダイヤ修正卓と、列車の運休及び着発番線変更を含む運転整理を行う運転整理卓とであることを特徴とする請求項１または請求項２に記載の列車の運行管理システム。
【請求項４】
自動進路制御装置に制御ダイヤをバージョン情報とともに記憶させ、複数のダイヤ修正手段に前記制御ダイヤを修正させ、
前記自動進路制御装置により、前記バージョン情報を前記複数のダイヤ修正手段に定期的に送信し、前記複数のダイヤ修正手段を構成する各ダイヤ修正手段により、記憶しているバージョン情報と前記自動進路制御装置からのバージョン情報とが不一致である場合前記自動進路制御装置に新たな制御ダイヤを要求する、列車の運行管理方法。
【請求項５】
前記複数のダイヤ修正手段を構成する各ダイヤ修正手段により、前記制御ダイヤを修正したときに、前記自動進路制御装置に修正したダイヤとバージョン情報とを送信し、
前記自動進路制御装置により、現在記憶しているバージョン情報と前記修正したダイヤを送信したダイヤ修正手段からのバージョン情報とを比較し、両バージョン情報が一致している場合にのみ前記修正したダイヤを受け付けるとともに、バージョンを「＋１」にすることを特徴とする請求項４に記載の列車の運行管理方法。
【請求項６】
前記複数のダイヤ修正手段は、列車の発車時間の修正を含むダイヤの修正をするダイヤ修正卓と、列車の運休及び着発番線変更を含む運転整理を行う運転整理卓とであることを特徴とする請求項４または請求項５に記載の列車の運行管理方法。
【発明の詳細な説明】
【技術分野】
【０００１】
本発明は列車の運行管理システムおよび列車の運行管理方法に係り、特に、システム内の制御ダイヤを常に同一の制御ダイヤとすることができるとともに、複数のダイヤ修正手段によるダイヤ修正があった場合でも、適正に１つの制御ダイヤを有効とすることを可能とした列車の運行管理システムおよび列車の運行管理方法に関するものである。
【背景技術】
【０００２】
一般に、列車の運行管理システムにおいては、１日分の全列車を１つの単位とした制御ダイヤが記憶された自動進路制御装置を備えており、自動進路制御装置により、記憶された制御ダイヤと、各駅から入力した在線情報、信号機現示情報などとから自動進路制御を行うようになっている。そして、自動進路制御装置以外の、ダイヤ修正卓、運転整理卓、旅客案内装置などの制御ダイヤを使用する各装置においては、自動進路制御装置と同じダイヤを記憶しているものとして動作しているのが一般的である。
【０００３】
この場合に、従来から、各種運行管理システムが開発されているが、例えば、入力手段より等時隔運転条件が入力されると、等時隔ダイヤ作成手段により等時隔運転条件に応じて等時隔ダイヤを作成するとともに、ダイヤ接続処理手段により、列車削除手段が記憶手段に記憶された実施ダイヤのうちの等時隔運転開始時刻から等時隔運転終了時刻までの間のダイヤを削除し、接続列車設定手段により削除後の実施ダイヤに等時隔ダイヤを接続して、実行ダイヤを作成し、作成された実行ダイヤに基づいて、管理手段が列車の運行を管理するようにした技術が開示されている（例えば、特許文献１参照）。
【先行技術文献】
【特許文献】
【０００４】
【特許文献１】特開平１０−１１９７７９号公報
【発明の概要】
【発明が解決しようとする課題】
【０００５】
ここで、列車運行が乱れた時など当初計画した制御ダイヤと異なる運用が必要になることがあり、ダイヤ修正機能を有するダイヤ修正手段により該当する列車の制御ダイヤを修正した場合に、修正した結果を自動進路制御装置が各装置に出力するようになっている。このとき、各装置に出力する制御ダイヤの単位は、全列車分ではなく、修正した列車分のみであり、入力した装置がそれまで記憶している制御ダイヤの該当列車部分を入れ替えるようになっている。
【０００６】
しかしながら、制御ダイヤを新たに修正された制御ダイヤに入れ替える場合に、自動進路制御装置に記憶されている修正される元となった制御ダイヤと、各装置に記憶されている制御ダイヤとが異なっていると、修正された列車分のダイヤを適正に入れ替えることができなくなってしまい、自動進路制御装置が記憶している制御ダイヤと、各装置が記憶している制御ダイヤとが一致しないという問題が生じてしまう。
【０００７】
また、ダイヤ修正手段が複数あるシステムにおいて、同じ列車の制御ダイヤを同時に変更した場合に、複数の異なる制御ダイヤが存在してしまい、列車の運行に支障をきたすおそれがあるという問題を有している。そのため、いずれの制御ダイヤを有効とする手段として、従来から、例えば、後から変更した制御ダイヤが有効とする手段や、同時修正の操作を禁止する手段などが採用されているが、いずれも制約がある中での操作となり、制御ダイヤを効率よく修正することができないという問題を有している。
【０００８】
本発明は前記した点に鑑みてなされたものであり、システム内の制御ダイヤを常に同一の制御ダイヤとすることができるとともに、複数のダイヤ修正手段によるダイヤ修正があった場合でも、適正に１つの制御ダイヤを有効とすることのできる列車の運行管理システムおよび列車の運行管理方法を提供することを目的とするものである。
【課題を解決するための手段】
【０００９】
本発明は前記目的を達成するために、請求項１に記載の発明に係る列車の運行管理システムは、制御ダイヤをバージョン情報とともに記憶する自動進路制御装置と、前記制御ダイヤを修正する複数のダイヤ修正手段と、を備え、
前記自動進路制御装置は、前記バージョン情報を前記複数のダイヤ修正手段に定期的に送信し、前記複数のダイヤ修正手段を構成する各ダイヤ修正手段は、記憶しているバージョン情報と前記自動進路制御装置からのバージョン情報とが不一致である場合前記自動進路制御装置に新たな制御ダイヤを要求する。
【００１０】
請求項２に係る発明は、請求項１において、前記複数のダイヤ修正手段を構成する各ダイヤ修正手段は、前記制御ダイヤを修正したときに、前記自動進路制御装置に修正したダイヤとバージョン情報とを送信し、
前記自動進路制御装置は、現在記憶しているバージョン情報と前記修正したダイヤを送信したダイヤ修正手段からのバージョン情報とを比較し、両バージョン情報が一致している場合にのみ前記修正したダイヤを受け付けるとともに、バージョンを「＋１」にすることを特徴とする。
【００１１】
請求項３に係る発明は、請求項１または請求項２において、前記複数のダイヤ修正手段は、列車の発車時間の修正を含むダイヤの修正をするダイヤ修正卓と、列車の運休及び着発番線変更を含む運転整理を行う運転整理卓とであることを特徴とする。
【００１２】
本発明は前記目的を達成するために、請求項４に記載の発明に係る列車の運行管理方法は、自動進路制御装置に制御ダイヤをバージョン情報とともに記憶させ、複数のダイヤ修正手段に前記制御ダイヤを修正させ、
前記自動進路制御装置により、前記バージョン情報を前記複数のダイヤ修正手段に定期的に送信し、前記複数のダイヤ修正手段を構成する各ダイヤ修正手段により、記憶しているバージョン情報と前記自動進路制御装置からのバージョン情報とが不一致である場合前記自動進路制御装置に新たな制御ダイヤを要求する。
【００１３】
請求項５に係る発明は、請求項４において、前記複数のダイヤ修正手段を構成する各ダイヤ修正手段により、前記制御ダイヤを修正したときに、前記自動進路制御装置に修正したダイヤとバージョン情報とを送信し、
前記自動進路制御装置により、現在記憶しているバージョン情報と前記修正したダイヤを送信したダイヤ修正手段からのバージョン情報とを比較し、両バージョン情報が一致している場合にのみ前記修正したダイヤを受け付けるとともに、バージョンを「＋１」にすることを特徴とする。
【００１４】
請求項６に係る発明は、請求項４または請求項５において、前記複数のダイヤ修正手段は、列車の発車時間の修正を含むダイヤの修正をするダイヤ修正卓と、列車の運休及び着発番線変更を含む運転整理を行う運転整理卓とであることを特徴とする。
【発明の効果】
【００１５】
請求項１に係る発明によれば、自動進路制御装置によりバージョン情報をダイヤ修正手段に送信し、ダイヤ修正手段により現在記憶されているバージョン情報と自動進路制御装置から送られたバージョン情報とを比較して、両バージョン情報が一致していない場合には、自動進路制御装置に新たな制御ダイヤを要求するようにしているので、自動進路制御装置が記憶している制御ダイヤと同じ制御ダイヤを、常にダイヤ修正手段が記憶することができ、制御ダイヤの修正があった場合でも、ダイヤ修正手段において適正に修正したダイヤに書き換えることができ、常に自動進路制御装置と同じ制御ダイヤによる処理を行うことができる。
【００１６】
請求項２に係る発明によれば、ダイヤ修正手段により制御ダイヤを修正したときに、自動進路制御装置に修正したダイヤとバージョン情報とを送信し、自動進路制御装置により、現在記憶されているバージョン情報とダイヤ修正手段から送られたバージョン情報とを比較し、両バージョン情報が一致している場合にのみ修正したダイヤを受け付けるとともに、バージョンを「＋１」にするようにしているので、ダイヤ修正手段から同時に複数のダイヤ修正があった場合でも、バージョン情報が一致した場合にのみダイヤの修正を受付けることができ、異なるバージョンの制御ダイヤの不用意な書き換えを防止することができる。
【００１７】
請求項３に係る発明によれば、複数のダイヤ修正手段をダイヤ修正卓及び運転整理卓としているので、ダイヤ修正卓または運転整理卓によるダイヤ修正を行うことができる。
【００１８】
請求項４に係る発明によれば、自動進路制御装置によりバージョン情報をダイヤ修正手段に送信し、ダイヤ修正手段により現在記憶されているバージョン情報と自動進路制御装置から送られたバージョン情報とを比較して、両バージョン情報が一致していない場合には、自動進路制御装置に新たな制御ダイヤを要求するようにしているので、自動進路制御装置が記憶している制御ダイヤと同じ制御ダイヤを、常にダイヤ修正手段が記憶することができ、制御ダイヤの修正があった場合でも、ダイヤ修正手段において適正に修正したダイヤに書き換えることができ、常に自動進路制御装置と同じ制御ダイヤによる処理を行うことができる。
【００１９】
請求項５に係る発明によれば、ダイヤ修正手段により制御ダイヤを修正したときに、自動進路制御装置に修正したダイヤとバージョン情報とを送信し、自動進路制御装置により、現在記憶されているバージョン情報とダイヤ修正手段から送られたバージョン情報とを比較し、両バージョン情報が一致している場合にのみ修正したダイヤを受け付けるとともに、バージョンを「＋１」にするようにしているので、ダイヤ修正手段から同時に複数のダイヤ修正があった場合でも、バージョン情報が一致した場合にのみダイヤの修正を受付けることができ、異なるバージョンの制御ダイヤの不用意な書き換えを防止することができる。
【００２０】
請求項６に係る発明によれば、複数のダイヤ修正手段をダイヤ修正卓及び運転整理卓としているので、ダイヤ修正卓または運転整理卓によるダイヤ修正を行うことができる。
【図面の簡単な説明】
【００２１】
【図１】本発明に係る列車の運行管理システムの実施形態を示す概略構成図である。
【図２】本発明に係る列車の運行管理システムを用いた通常状態における運行管理方法を示すフローチャートである。
【図３】本発明に係る列車の運行管理システムを用いたダイヤ修正における運行管理方法を示すフローチャートである。
【発明を実施するための形態】
【００２２】
以下、本発明の実施形態について図面を参照して説明する。
【００２３】
図１は、本発明に係る列車の運行管理システムの実施形態を示す概略構成図であり、本実施形態においては、列車の運行管理システム１は、始業から終業までの１日分の制御ダイヤおよびこの制御ダイヤのバージョン情報が記憶される自動進路制御装置２を備えている。自動進路制御装置２は、記憶された制御ダイヤと、各駅から入力した在線情報、信号機現示情報などとから自動進路制御を行うように構成されている。
【００２４】
また、自動進路制御装置２には、列車の運転、列車の運休、着発番線変更などの各種運転整理を行うためのダイヤ修正手段としての運転整理卓３および列車の発車時間などのダイヤを修正するためのダイヤ修正手段としてのダイヤ修正卓４がそれぞれ接続されており、ダイヤ修正卓４および運転整理卓３は、自動進路制御装置２から入力した制御ダイヤおよびこの制御ダイヤのバージョン情報を記憶するように構成されている。また、自動制御装置には、自動進路制御装置２から送られる制御ダイヤに基づいて所定の旅客案内表示などを行うための旅客案内装置５が接続されており、自動進路制御装置２には、バージョン毎の制御ダイヤを蓄積するためのデータ蓄積装置６が接続されている。旅客案内装置５およびデータ蓄積装置６は、自動進路制御装置２から入力した制御ダイヤおよびバージョン情報を記憶するように構成されている。
【００２５】
自動進路制御装置２は、始業時に自動進路制御装置２が起動された場合に、制御ダイヤのバージョン情報を、例えば、「０」に設定するものであり、自動進路制御装置２は、この制御ダイヤのバージョン情報を記憶するものである。そして、制御ダイヤは、自動進路制御装置２から、運転整理卓３、ダイヤ修正卓４、旅客案内装置５およびデータ蓄積装置６にそれぞれ送信され、運転整理卓３、ダイヤ修正卓４、旅客案内装置５およびデータ蓄積装置６は、自動進路制御装置２から送られた制御ダイヤに基づいて、運転整理の修正、ダイヤ修正、旅客案内あるいはテータの蓄積を行うように構成されている。
【００２６】
そして、ダイヤ修正卓４によりダイヤの修正が行われた場合や運転整理卓３により運転整理が行われた場合には、修正されたダイヤおよび運転整理が行われたダイヤと、ダイヤ修正卓４または運転整理卓３に記憶されているバージョン情報とがそれぞれ自動進路制御装置２に送られるように構成されている。そして、自動進路制御装置２は、修正されたダイヤが送られてきた場合には、ダイヤ修正卓４または運転整理卓３から送られるバージョン情報と、自動進路制御装置２に記憶されているバージョン情報とを比較し、バージョン情報が一致していない場合には、変更ダイヤを受け付けないように構成されている。また、バージョン情報が一致している場合には、自動進路制御装置２は、修正されたダイヤを既に記憶されている制御ダイヤに置き換えるとともに、新たな制御ダイヤのバージョン情報を「＋１」とする。その後、自動進路制御装置２は、新たなバージョンとなった制御ダイヤをバージョン情報ととともに、運転整理卓３、ダイヤ修正卓４、旅客案内装置５およびデータ蓄積装置６にそれぞれ送信するように構成されている。
【００２７】
さらに、本実施形態においては、自動進路制御装置２は、運転整理卓３、ダイヤ修正卓４、旅客案内装置５およびデータ蓄積装置６に定期的にバージョン情報を送信するように構成されており、運転整理卓３、ダイヤ修正卓４、旅客案内装置５およびデータ蓄積装置６が記憶しているバージョン情報と、自動進路制御装置２から送られたバージョン情報とを比較し、バージョン情報が一致していない場合は、運転整理卓３、ダイヤ修正卓４、旅客案内装置５およびデータ蓄積装置６から新しいバージョンの制御ダイヤを要求するように構成されている。
【００２８】
次に、前記列車の運行管理システム１を用いた通常状態における運行管理方法について、図２に示すフローチャートを参照して説明する。なお、本実施形態においては、ダイヤ修正卓４における動作について説明する。
【００２９】
本実施形態においては、一定の周期で自動進路制御装置２からダイヤ修正卓４にバージョンの情報を送信する（ＳＴ１）。ダイヤ修正卓４により、自動進路制御装置２から送られたバージョン情報と、現在記憶しているバージョン情報とを比較し（ＳＴ２）、一致していない場合は（ＳＴ３：ＮＯ）、ダイヤ修正卓４から自動進路制御装置２に最新の制御ダイヤを要求し（ＳＴ４）、自動進路制御装置２からダイヤ修正卓４に最新の制御ダイヤをバージョン情報とともに送信する（ＳＴ５）。そして、ダイヤ修正卓４により、受信したダイヤを記憶するとともに、バージョン情報を記憶する（ＳＴ６）。これにより、ダイヤ修正卓４には、常に最新のバージョンの制御ダイヤが記憶されることになる。
【００３０】
なお、自動進路制御装置２から送られたバージョン情報と、ダイヤ修正卓４が現在記憶しているバージョン情報とが一致している場合は（ＳＴ３：ＹＥＳ）、ダイヤ修正卓４は、何も行わない。
【００３１】
次に、前記列車の運行管理システム１を用いたダイヤ修正時における運行管理方法について、図３に示すフローチャートを参照して説明する。なお、本実施形態においても、ダイヤ修正卓４により修正が行われた場合について説明する。
【００３２】
まず、ダイヤ修正卓４でダイヤ修正を行うと（ＳＴ１０）、ダイヤ修正卓４から修正したダイヤと、ダイヤ修正卓４で現在記憶しているバージョン情報とが自動進路制御装置２に送られる（ＳＴ１１）。そして、自動進路制御装置２により、現在記憶されているバージョン情報とダイヤ修正卓４から送られたバージョン情報とを比較し（ＳＴ１２）、一致している場合には（ＳＴ１３：ＹＥＳ）、自動進路制御装置２により、今まで記憶されていた制御ダイヤをダイヤ修正卓４から送られた修正ダイヤに書き換えて記憶し、バージョンを「＋１」とする（ＳＴ１４）。その後、自動進路制御装置２からダイヤ修正卓４、運転整理卓３、旅客案内装置５およびデータ蓄積装置６に、新たな制御ダイヤを新しいバージョン情報とともに送信する（ＳＴ１５）。
【００３３】
また、自動進路制御装置２に現在記憶されているバージョン情報とダイヤ修正卓４から送られたバージョン情報とが一致していない場合には（ＳＴ１３：ＮＯ）、ダイヤ修正卓４から送られた制御ダイヤを受付ないで、廃棄する（ＳＴ１６）。この場合は、ダイヤ修正卓４から新たなバージョンの制御ダイヤを要求し、新たなバージョンの制御ダイヤに基づいてダイヤの修正を行う。
【００３４】
以上述べたように、本実施形態においては、自動進路制御装置２が記憶している制御ダイヤと同じ制御ダイヤを、運転整理卓３、ダイヤ修正卓４、旅客案内装置５およびデータ蓄積装置６が常に記憶するようにしているので、制御ダイヤの修正があった場合でも、運転整理卓３、ダイヤ修正卓４、旅客案内装置５およびデータ蓄積装置６において適正に修正したダイヤに書き換えることができ、常に自動進路制御装置２と同じ制御ダイヤによる処理を行うことができる。
【００３５】
また、ダイヤ修正卓４または運転整理卓３により制御ダイヤの修正があった場合に、ダイヤ修正卓４または運転整理卓３から修正ダイヤとともにバージョン情報を送ることにより、自動進路制御装置２により修正されたダイヤのバージョン情報を確認するようにしているので、ダイヤ修正卓４または運転整理卓３から同時に複数のダイヤ修正があった場合でも、バージョン情報が一致した場合にのみダイヤの修正を受付けることができ、異なるバージョンの制御ダイヤの不用意な書き換えを防止することができる。
【００３６】
なお、本発明は上記実施形態に限定されるものではなく、本発明の趣旨に基づいて種々の変形が可能である。
【符号の説明】
【００３７】
１  列車の運行管理システム
２  自動進路制御装置
３  運転整理卓
４  ダイヤ修正卓
５  旅客案内装置
６  データ蓄積装置
【図１】
0005774841.tif 000002
【図２】
0005774841.tif 000003
【図３】
0005774841.tif 000004